(57)【要約】【課題】  閉扉を確実に検知でき、すなわち作動の信頼性が大きく、しかも耐久性に優れた閉扉検知機構を提供する。【解決手段】  、錠箱のフロント板を貫通するようにして、フロント板４に垂直な前後方向に移動可能に案内されたトリガー杆５を設け、錠箱３内に固設された検磁素子７に対し、永久磁石９を検磁素子７に近接する方向に付勢すると共に、同方向に移動できるように案内し、開扉時には作動レバー１１により永久磁石９を検磁素子７から離間する位置に係止し、閉扉時、トリガー杆５の錠箱内に押し込まれる動きを利用して永久磁石９の係止を解いてこれを検磁素子７に密着させるようにした。【選択図】  図１
2012214999.tif 000002
【特許請求の範囲】
【請求項１】
錠箱のフロント板を貫通するようにして、フロント板に垂直な前後方向に移動可能に案内されたトリガー杆を設け、一方、錠箱内に検磁素子を固設し、この検磁素子の前面側に、一端部を第１回転軸により錠箱の側板に回動可能に支承され、他端部に永久磁石を装着すると共に、この永久磁石が検磁素子に近接する方向に付勢された作動レバーを配設し、他方、上記作動レバーの一端部とトリガー杆の錠箱内の部分とに跨る連結レバーを設け、この連結レバーを、その中央部を通る第２回転軸の周りを回動可能に支承すると共に、その一端をトリガー杆に、他端を作動レバーの一端部の第１回転軸近傍に夫々係合させ、トリガー杆がフロント板から突出しているとき、連結レバーの他端部が作動レバーの一端部を検磁素子側に押動して永久磁石を検磁素子から離間させ、閉扉時扉枠と係合することによりトリガー杆が少しでも錠箱内に押し込まれたとき、トリガー杆の動きを拡大して動く作動レバーの他端部を急速に永久磁石を検磁素子に近接させ、チリが大きい場合でも閉扉信号を発生させることができるようにすると共に、チリが小さい場合には、永久磁石を検磁素子に近接させた後、永久磁石を検磁素子に密着させた儘連結レバーの他端が作動レバーの一端から離間するようにしたことを特徴とする閉扉検知機構。
【発明の詳細な説明】
【技術分野】
【０００１】
この発明は、電気錠の錠箱などに装着される閉扉検知機構（以下単に閉扉検知機構という）に係り、特に、閉扉を確実に検知でき、しかも耐久性に優れた閉扉検知機構に関する。
【背景技術】
【０００２】
閉扉検知機構とは、扉が完全に閉まったことを電気信号として取り出すもので、通常は電気錠の機能の一部として構成する場合が多いが、機械的なシリンダ錠を備えた錠箱にも勿論装着することができる。
【０００３】
上記閉扉検知機構は、例えばビルの管理室に設けた場合、管理室に居ながらにして、多数の部屋の閉扉状態を一目で見ることができ、ビル管理上大変に便利である。
【先行技術文献】
【特許文献】
【０００４】
【特許文献１】特開２００６−０３７３５５
【特許文献２】特開平１１−１１１１１５
【発明の概要】
【発明が解決しようとする課題】
【０００５】
従来の閉扉検知機構は、例えば特許文献１に記載されたものは、錠箱内のフロント板近傍に配設されたリードスイッチなどの検磁素子１０と、閉扉時この検磁素子１０に近接する扉枠の部位に装着された永久磁石１３とを備え、閉扉時検磁素子１０に近接する永久磁石１３の磁束により検磁素子を駆動し、この検磁素子からの出力信号を閉扉信号とする。
【０００６】
また、特許文献２に記載されたものは、扉側に装着された枠箱１内に、自由端に第１の永久磁石を備えた作用レバー５の基端を回動自在に配設し、他方、閉扉時第１の永久磁石３が近接する扉枠の部位に、第１の永久磁石３と反発する第２の永久磁石４を設け、閉扉時相互に近接することによって生じる磁気反発力を利用してマイクロスイッチ２を駆動し、その出力信号を閉扉信号とする。
【０００７】
これらの閉扉検知機構は、夫々実用されているが、永久磁石およびリードスイッチなどの検磁素子は夫々磁束密度及び感度に個体差があり、特に磁束密度は扉と扉枠との間の間隙（チリ）寸法の自乗に反比例して減少することから、その作動が不安定で信頼性に欠ける、等未だ改良の余地がある。
【０００８】
そこで、この発明は、閉扉を確実に検知でき、すなわち作動の信頼性が大きく、しかも耐久性に優れた閉扉検知機構を提供することを目的としている。
【課題を解決するための手段】
【０００９】
上記の目的を達成するため、この発明は、錠箱のフロント板を貫通するようにして、フロント板に垂直な前後方向に移動可能に案内されたトリガー杆を設け、一方、錠箱内に検磁素子を固設し、この検磁素子の前面側に、一端部を第１回転軸により錠箱の側板に回動可能に支承され、他端部に永久磁石を装着すると共に、この永久磁石が検磁素子に近接する方向に付勢された作動レバーを配設し、他方、上記作動レバーの一端部とトリガー杆の錠箱内の部分とに跨る連結レバーを設け、この連結レバーを、その中央部を通る第２回転軸の周りを回動可能に支承すると共に、その一端をトリガー杆に、他端を作動レバーの一端部の第１回転軸近傍に夫々係合させ、トリガー杆がフロント板から突出しているとき、連結レバーの他端部が作動レバーの一端部を検磁素子側に押動して永久磁石を検磁素子から離間させ、閉扉時扉枠と係合することによりトリガー杆が少しでも錠箱内に押し込まれたとき、トリガー杆の動きを拡大して動く作動レバーの他端部を急速に永久磁石を検磁素子に近接させ、チリが大きい場合でも閉扉信号を発生させることができるようにすると共に、チリが小さい場合には、永久磁石を検磁素子に近接させた後、永久磁石を検磁素子に密着させた儘連結レバーの他端が作動レバーの一端から離間するようにしたことを特徴とする。
【発明の効果】
【００１０】
上記のように構成されたこの発明の一実施例による閉扉検知機構は、開扉時には検磁素子に近接する方向に付勢された永久磁石を連結レバーにより検磁素子から離間するように抑圧し、閉扉時トリガー杆が錠箱内に少しでも押し込まれたとき、連結レバーの他端が作動レバーを開放してその他端の永久磁石を急速に検磁素子に近接させると共に、永久磁石が検磁素子に密着した後は、その密着状態を保持させた儘連結レバーの他端が作動レバーから離間するようにしたので、チリの大小に拘らず、また、永久磁石の磁束密度及び検磁素子の感度のバラツキに拘らず、閉扉を確実に検知できる。
【００１１】
また、機構上永久磁石と検磁素子の接合部に掛かる力は作動レバーの付勢力を超えない僅かなものであるし、衝突も生じないことから、耐久性にも優れている、等種々の効果を奏する。
【図面の簡単な説明】
【００１２】
【図１】本発明による閉扉検知機構を備えた電気錠の側面図。
【図２】閉扉検知機構の要部の正面図で、トリガー杆が少し錠箱内に押し込まれた状態を示す。
【図３】図２と同様の正面図で、永久磁石が検磁素子に密着した状態を示す。
【発明を実施するための形態】
【００１３】
錠箱内に固設された検磁素子に対し、永久磁石を検磁素子に近接する方向に付勢すると共に、同方向に移動できるように案内し、開扉時には作動レバーにより永久磁石を検磁素子から離間する位置に係止し、閉扉時、トリガー杆の錠箱内に押し込まれる動きを利用して永久磁石の係止を解くようにした。
【実施例１】
【００１４】
以下、この発明の一実施例を図面を参照して説明する。
図１において符号１は電気錠のデッドボルトを、符号２はラッチボルトを夫々示し、これ等デッドボルト１及びラッチボルト２の構成及び作用は本発明の要旨ではないので、更に詳細な説明は省略する。
【００１５】
錠箱３のフロント板４の近傍で、上記デッドボルト１及びラッチボルト２の間における部分にはトリガー杆５が配設されている。
【００１６】
このトリガー杆５は、例えばフロント板５外に突出する部分の水平投影形状が山形の厚板材で、フロント板５を貫通してこれに垂直な前後方向（図１で左右方向）に移動可能に案内されている。
【００１７】
そして、トリガーばね６の弾力により、前方（図１で左方）に突出する方向に付勢されている。
【００１８】
このトリガー杆５は、閉扉時図示しない扉枠と係合して錠箱内に押し込まれ、このトリガー杆５の移動を利用して錠箱内の機能ブロックを制御するものであるが、トリガー杆５そのものの構成及び機能は周知であるから、更に詳細な説明は省略する。
【００１９】
一方、上記ラッチボルト２の下方には、例えばリードスイッチなどの検磁素子７がその前面、すなわち検磁面をフロント板４の裏面に向けた状態で固設されている。
【００２０】
この検磁素子７の前面とフロント板４の間の空間には、上下方向に延在し、上端部を第１回転軸８により錠箱３の側板に回動可能に支承されると共に、下端部に永久磁石９を装着した作動レバー１１が配設されている。
【００２１】
この作動レバー１１は、第１回転軸８に卷装された捩りコイルばねとしての作動レバーばね１２の弾力により、図１で反時計方向、換言すれば永久磁石９が検磁素子７に近接する方向に付勢されている。
【００２２】
他方、上記作動レバーの１１一端部（上端部）とトリガー杆５の錠箱内の部分とに跨るようにして、例えば上下方向に延在する連結レバー１３が設けられている。
【００２３】
この連結レバー１３は、その中央部を通る第２回転軸１４の周りを回動可能に支承されており、第２回転軸１４に卷装されたねじりコイルばねとしての連結レバーばね（図面を明瞭にするため付番しない）の弾力により、図１で反時計方向に付勢されている。
【００２４】
上記連結レバー１３は、その一端（図１では上端）を後方からトリガー杆５に、他端を前方から作動レバー１１の一端部（上端部）の第１回転軸８近傍に夫々係合させている。
【００２５】
そのため、作動レバーのレバー比は大きくなっており、連結レバー１３の他端の動きは作動レバー１１により拡大されて永久磁石９に伝達されることになる。
【００２６】
そのため、トリガー杆５がフロント板４から突出しているとき、連結レバー１３の他端部が作動レバーの一端部を検磁素子７側に押動して永久磁石９を検磁素子から大きく離間させている。
【００２７】
一方、閉扉時扉枠と係合することによりトリガー杆５が少しでも錠箱３内に押し込まれたとき、図２に示すように、トリガー杆５の動きを拡大して動く作動レバーの他端部が急速に永久磁石９を検磁素子７に近接させる。
【００２８】
そして、トリガー杆５が更に錠箱内方に押し込まれると、図３に示すように、永久磁石９と検磁素子７とが密着するに至り、以降トリガー杆の更なる後方への移動によってもその密着状態は変化しない。
【００２９】
したがって、検磁素子７からの出力信号である閉扉信号はトリガー杆５の最初の動きによって感度良く検出することができる。
【００３０】
なお、開扉時には、トリガーばね６、付番しない連結レバーばね及び作動レバーばね１２の弾力によって、永久磁石９と検磁素子７とは相互に離間し、閉扉信号は消失する。
【符号の説明】
【００３１】
１  デッドボルト
２  ラッチボルト
３  錠箱
４  フロント板
５  トリガー杆
６  トリガーばね
７  検磁素子
８  第１回転軸
９  永久磁石
１１  作動レバー
１２  作動レバーばね
１３  連結レバー
１４  第２回転軸
【図１】
2012214999.tif 000003
【図２】
2012214999.tif 000004
【図３】
2012214999.tif 000005